(57)【要約】【目的】曜日表示を固定した状態で日表示をスライド移動させることにより、日曜日から始まる一般的なカレンダーの各月の日数字配列に同時に日数字が表示される、万年カレンダーを提供することを目的とする。【構成】３７箇所の日表示窓２を有する前面板１と、前面板１の背後に日を表わす日数字群５を表示したスライド板４を、各日数字群５の一部が日表示窓２に現れるように配置し、スライド板４全体を日数字群５の範囲内でスライド移動させることにより、各日表示窓２に日数字６が現れ、日曜日から始まる一般的なカレンダーの曜日配列で同時に日数字６が変わる。また、日数字群５の各日数字６を同一半径の円周上に配置し、スライド板と連動する操作用円盤を設けて操作用円盤を回転することにより、スライド板全体が回転スライドし、各月に応じた曜日位置に日数字６を表示することが出来る。【選択図】　　　図５
2004013141.tif 000002
【特許請求の範囲】
【請求項１】
横方向に７列、縦方向に６段（６段目のみ２列）からなる３７箇所の日表示窓を有する前面板と、前面板の背後に隣接する数字が１づつ増加する１から７種類の日を表わす日数字群を１群として、前面板の日表示窓の数と位置に対応する３７の日数字群を表示したスライド板を、各日数字群中の１種類の日数字又は空白部が３７箇所の日表示窓に現れるように配置し、スライド板全体を日数字群の範囲内の移動量で、上下左右にスライド移動させることにより、各日表示窓に日数字が現れ、日曜日から始まる一般的なカレンダーの曜日配列で同時に日数字が変わる万年カレンダー。
【請求項２】
スライド板の日数字群の各日数字を同一半径の円周上に配置し、スライド板の上下左右の表示方向を変えずにスライド板全体を前記同一半径の軌跡にて、回転スライドさせて各日表示窓に日数字を現わす、請求項１記載の万年カレンダー。
【請求項３】
スライド板と連動する操作用円盤を設け、操作用円盤を回転することにより、前記同一半径の軌跡にてスライド板全体が回転スライドする、請求項２記載の万年カレンダー。
【発明の詳細な説明】
【０００１】
【産業上の利用分野】
本発明は、日曜日から始まる一般的なカレンダーの各月の日数字配列でありながら、各年の各月に対応する日数字の表示が可能な万年カレンダーに関する。
【０００２】
【従来の技術】
従来の万年カレンダーとしては、日表示を固定した状態で曜日表示を移動させる方式や、曜日表示を固定した状態で日表示を移動させる方式の物があったが、いずれの方式の場合も表示部の移動方法としては、表示部材を直線的にスライド移動させる方式や、表示部材の張替えや書き換えによる方法が用いられていた。
【０００３】
【発明が解決しようとする課題】
前記従来の万年カレンダーでは、日表示を固定した状態で曜日表示を直線的にスライド移動させる場合には、曜日表示用の部材を７曜日分スライド移動させるため、大きなスライドスペースが必要となる上に、各週の始まりが日曜日から土曜日のいずれかとなり、一般的なカレンダーの日曜日から始まる配列とは異なるため非常に見にくくなっていた。また、曜日表示を固定した状態で日表示を直線的にスライド移動させた場合にも、日表示用の部材を７曜日分スライド移動させるための大きなスライドスペースを必要とするか、あるいは日表示用の部材が横方向に大きく突出するなどの問題があった。
【０００４】
日表示や曜日表示を張り替えや書き換えにより変更する方法では、日表示を固定した状態で曜日表示を変更する場合には、７曜日分それぞれの曜日表示の変更が必要となる上に、各週の始まりが日曜日から土曜日のいずれかとなり、一般的なカレンダーの日曜日から始まる配列とは異なるため非常に見にくくなっていた。また、曜日表示を固定した状態で日表示を変更する場合には、３１日分それぞれの日表示を変更する必要があるため非常に手間がかかるという問題があった。
【０００５】
そこで本発明は、曜日表示を固定した状態で日表示をスライド移動させることにより、日曜日から始まる一般的なカレンダーの各月の日数字配列に同時に日数字が表示される、万年カレンダーを提供することを目的とする。
【０００６】
【課題を解決するための手段】
横方向に７列、縦方向に６段（６段目のみ２列）からなる３７箇所の日表示窓を有する前面板と、前面板の背後に隣接する数字が１づつ増加する１から７種類の日を表わす日数字群を１群として、前面板の日表示窓の数と位置に対応する３７の日数字群を表示したスライド板を、各日数字群中の１種類の日数字又は空白部が３７箇所の日表示窓に現れるように配置し、スライド板全体を日数字群の範囲内の移動量で、上下左右にスライド移動させることにより、各日表示窓に日数字が現れ、日曜日から始まる一般的なカレンダーの曜日配列で同時に日数字が変わる。また、スライド板の日数字群の各日数字を同一半径の円周上に配置し、スライド板の上下左右の表示方向を変えずにスライド板全体を前記同一半径の軌跡にて、回転スライドさせて各日表示窓に日数字を現わすことができ、さらに、スライド板と連動する操作用円盤を設け、操作用円盤を回転することにより、前記同一半径の軌跡にてスライド板全体が回転スライドすることが出来る。
【０００７】
【作用】
本発明の万年カレンダーにおいては、外部へ突出した操作用円盤の一部を回転することにより、操作用円盤と連動したスライド板が回転スライドし、スライド板に表示された日数字が前面板に設けられた各日表示窓に表示される。スライド板には同一円周上に、各曜日の日表示窓に対応する１から７種類の日数字が表示されているため、操作用円盤を回転させていくことにより、日表示窓には各曜日から始まる１から３１までの日数字及び空白部が現れ、その月に対応した曜日位置に日数字が同時に変わり、日曜日から始まる一般的なカレンダーの曜日配列の万年カレンダーとして使える。
【０００８】
【実施例】
以下、本発明を図面に示す実施例に基づいて説明する。図１は本発明の実施例に係わる万年カレンダーの全体を正面から見た図で、板状の前面板１の左右方向に７列、上下方向に６段（６段目のみ２列）、計３７箇所の日表示窓２を上下左右方向の等間隔位置に設ける。最上段の７列の日表示窓２の上には、左から右へ日表示窓に対応する「日曜日」から「土曜日」までの曜日３を表示する。
【０００９】
図２は前面板１の背後に配置する板状のスライド板４の図で、前面板１の３７箇所の日表示窓２の数と位置に対応した、左右方向に７列、上下方向に６段（６段目のみ２列）の計３７の日数字群５を上下左右方向の等間隔位置に表示する。
【００１０】
日数字群５は左上から右下順に「○、○、○、○、○、○、１」「○、○、○、○、○、１、２」「○、○、○、○、１、２、３」・・・・「１、２、３、４、５、６、７」と隣接する数字が１づつ増加する、日を表わす日数字６からなる日数字群５を、７種類の日数字６を最大として以降「２、３、４、５、６、７、８」「３、４、５、６、７、８、９」と１づつ繰り上がり「２５、２６、２７、２８、２９、３０、３１」以降は「２６、２７、２８、２９、３０、３１、○」「２７、２８、２９、３０、３１、○、○」・・・・「３０、３１、○、○、○、○、○」「３１、○、○、○、○、○、○」まで１づつ減少する３７種類の日数字群５から構成される。
【００１１】
図３は日数字群５の図で前記○印は空白部７を意味し、左上から右下順に１番目から６番目までは、１から６種類の日数字６と６から１箇所の空白部７から構成され、７番目から３１番目までは７種類の日数字６から構成され、３２番目から３７番目までは６から１種類の日数字６と１から６箇所の空白部７から構成される。各日数字６及び空白部７は同一半径Ａ上に等角度Ｂに表示し、それぞれの日数字６はカレンダーの各日を表わす数字となる。
【００１２】
各日数字群５間の日数字６の配置関係は、左上から右下順に第１から第３１とした場合、第１の日数字群５の日数字「１」の位置に対して、第２の日数字群５は日数字「２」、第３の日数字群５は日数字「３」・・・・第２９の日数字群５は日数字「２９」、第３０の日数字群５は日数字「３０」、第３１の日数字群５は日数字「３１」を配置し、第１の日数字群５の日数字「２」の位置に対して、第２の日数字群５は日数字「３」、第３の日数字群５は日数字「４」・・・・第２９の日数字群５は日数字「３０」、第３０の日数字群５は日数字「３１」、第３１の日数字群５は「空白部」７を配置し、以降第１の日数字群５の日数字「７」まで同様に配置する。
【００１３】
前記内容及び配置関係にて日数字６が表示されたスライド板４を、前面板１の背後に配置することにより、前面板１の日表示窓２には各日数字群５の「１」から「３１」の日数字６及び空白部７が現れる。各日数字群５の日数字６及び空白部７は同一円周Ａ上に等角度Ｂに表示されているため、スライド板４の上下左右の表示方向を変えずに、スライド板４全体を前記同一半径Ａの軌跡にて回転スライドすることにより、各日表示窓２に現れる日数字６は１づつ増加又は減少して現れる。
【００１４】
図４はスライド板４を操作用円盤８にて回転スライドさせる方法を表わす図で、スライド板４の背後に背面板９を設ける。背面板９には外周にギヤ１０を有する２枚の回転板１１を回転自在に取付け、２枚の回転板１１の間には外周にギヤ１０を有する操作用円盤８を噛合し、操作用円盤８の外周の一部は背面板９から外へ突出させ、操作用円盤８を回転させることにより２枚の回転板１１が連動回転する。２枚の回転板１１には前記同一半径Ａと同じ半径Ａ位置にボス１２を設け、スライド板４に設けた２箇所のボス孔１３に回転自在に取付ける。スライド板４は２箇所のボス孔１３にて保持されているため、操作用円盤８の回転により２枚の回転板１１が半径Ａにて回転した場合には、スライド板４の上下左右の表示方向は変わらずに、スライド板４全体が半径Ａの軌跡で回転スライドする。
【００１５】
図５及び図６は背面板９、スライド板４、前面板１を取付けた、実際に使用する状態での正面図を表わし、１日が日曜日から始まる月の場合は、図５のように日曜日の列の日表示窓２に「１」の日数字６が表示され、順次「３１」まで所定の曜日の列の日表示窓２に日数字６が表示される。１日が月曜日から始まる月の場合は、操作用円盤８を回してスライド板４を角度Ｂ分回転スライドさせることにより、図６のように月曜日の列の日表示窓２に「１」の日数字６が表示され、順次「３１」まで所定の曜日の列の日表示窓２に日数字６が表示される、同様の方法にて操作用円盤８を回す毎に各曜日の列に現れる日数字６が変わり、各月に対応した曜日列に日数字６を表示して、万年カレンダーとして使用できる。
【００１６】
前記実施例では前面板１の日表示窓２を上下左右方向の等間隔位置に設けたが、スライド板４に表示した日数字６が日表示窓２に対応する位置に表示されていれば図７のように不等間隔でもよい。また、前記実施例では日数字群５の各日数字６及び空白部７を同一半径Ａ上に等角度Ｂに表示したが、スライド板４に表示した日数字６が日表示窓２に対応する位置に表示されていれば、図８のように正方形など任意の位置でもよい。つまり、各数字群５の表示窓２に表示される日数字６間の距離が一定であれば、日表示窓２の配置が自由に設定できるため、前面板１のデザインに合わせたレイアウトが可能となる。
【００１７】
前面板１の日表示窓２に対応するスライド板４の日数字６を表示するために、スライド板４をスライド移動及び所定の位置で固定する方法としては、図９のようにスライド板４にフック１４を設け、前面板１に日数字群５の各日数字６と同じピッチでフック孔１５を設け、前面板１を所定の位置に移動して固定する方法や、スライド板１を金属素材にし、前面板１をマグネットシートにして密着させ（図示せず）、所定の位置に移動して固定する方法など、前面板１の日表示窓２に対応するスライド板４の日数字６を表示するために、スライド板４を移動及び所定の位置で固定できればいかなる方法でもよい。
【００１８】
前面板１の表面には書き消しが可能な透明シートを貼り付けることにより、日表示窓２の周囲にある余白部に文字の書き込みができ、スケジュールボードとして使用できる。透明シートは日表示窓２からのゴミやホコリの侵入も防ぐこともでき、また、日表示円窓２には常に「１」から「３１」までの日数字６が表示されているため、２、４、６、９、１１月のように「３１」まで表示する必要がない月には、日表示窓２を塗り潰すこともできる。
【００１９】
図１０は日数字６を固定した状態で曜日を移動させる従来方式の万年カレンダーで、最上段には左右にスライド移動できる各曜日が表示されたプレート１６と、２段目から６段目までは日数字６が固定表示された構造からなっている。本万年カレンダーを使用する場合には、１から３１までの日数字６に対して各月の曜日が対応するように、曜日が表示されたプレート１６を左右にスライド移動させる。しかし、プレート１６の移動量としては日曜日から土曜日までの最大７曜日分の移動量がいるため、左右に移動させるための大きなスペースが必要となる上に、日数字６が固定されているため、各月の始まりが日曜日になるとは限らず、日曜日から始まる一般的なカレンダーの配置とは異なり非常に見にくいものとなる。
【００２０】
また、曜日表示を固定した状態で日数字を移動させる従来方式の万年カレンダー（図示せず）においても、最上段には日曜日から土曜日までの曜日が固定表示され、２段目から６段目までに日数字が表示されたプレートが、左右にスライド移動する構造となり、本万年カレンダーを使用する場合には、１から３１までの日数字が各月の曜日に対応するように、２段目から６段目までのプレートをそれぞれ左右にスライド移動させるため、各プレートの移動量としては日曜日から土曜日までの最大７曜日分の移動量となり、左右に移動させるための大きなスペースが必要となる。
【００２１】
【発明の効果】
以上のように従来方式の万年カレンダーでは曜日や日を表示するプレートを移動させるために、左右に大きなスペースを必要としたり、日数字配列が日曜日から始まる一般的なカレンダーと異なるために見にくいなどの問題を、本発明の万年カレンダーでは、スライド板全体を日数字群の範囲内でスライドさせながら表示させることにより、両サイドに突出する部分がなくコンパクトな形状にできる。また、曜日及び日数字の配置は日曜日から始まる一般的なカレンダーと同様の配置であるため非常に見やすい上に、操作用円盤を回転させるだけで各日数字が全て同時に変化するため、操作性の面でも優れている。
【図面の簡単な説明】
【図１】本発明の万年カレンダーの全体の外観図である。
【図２】本発明のスライド板の図である。
【図３】本発明の日数字群の図である。
【図４】本発明のスライド板を回転スライドさせる方法の図である。
【図５】本発明の使用状態を表わす図である。
【図６】本発明の使用状態を表わす図である。
【図７】本発明の日表示窓の配置例の図である。
【図８】本発明の日数字群の配置例の図である。
【図９】フックを利用したスライド板の固定方法の図である。
【図１０】日数字を固定して曜日を移動させる従来方式の万年カレンダーの図である。
【符号の説明】
１　　　前面板
２　　　日表示窓
４　　　スライド板
５　　　日数字群
６　　　日数字
７　　　空白部
８　　　操作用円盤
９　　　背面板
１０　　ギヤ
１１　　回転板
【図１】
2004013141.tif 000003
【図２】
2004013141.tif 000004
【図３】
2004013141.tif 000005
【図４】
2004013141.tif 000006
【図５】
2004013141.tif 000007
【図６】
2004013141.tif 000008
【図７】
2004013141.tif 000009
【図８】
2004013141.tif 000010
【図９】
2004013141.tif 000011
【図１０】
2004013141.tif 000012